(57)【要約】【課題】電線カバー１３の強度を向上させる。【解決手段】コネクタハウジング１２に取り付けられてコネクタハウジング１２から導出された電線１１を覆う電線カバー１３であって、互いに結合可能な、第１カバー２１及び第２カバー２２を備え、第１カバー２１及び第２カバー２２のそれぞれは、コネクタハウジング１２に装着される第１基部２３及び第２基部４３と、各基部２３，４３に一体に形成された可撓性を有する第１ヒンジ２４及び第２ヒンジ４４と、各ヒンジ２４，４４に連なると共に各ヒンジ２４，４４による回動軸Ｊ，Ｋを中心に回動する第１回動部２５及び第２回動部４５と、を有し、第１カバー２１と第２カバー２２とが互いに結合された状態で、第１カバー２１における第１基部２３と第１回動部２５との第１境界領域５３と、第２カバー２２における第２基部４３と第２回動部４５との第２境界領域５４とは、互いに異なる位置に設けられている。【選択図】図２０
2019125528.tif 000002
【特許請求の範囲】
【請求項１】
コネクタハウジングに取り付けられて前記コネクタハウジングから導出された電線を覆う電線カバーであって、
互いに結合可能な複数の分割カバーを備え、
前記複数の分割カバーのそれぞれは、前記コネクタハウジングに装着される基部と、前記基部に一体に形成された可撓性を有するヒンジと、前記ヒンジに連なると共に前記ヒンジによる回動軸を中心に回動する回動部と、を有し、
前記複数の分割カバーが互いに結合された状態で、前記複数の分割カバーのそれぞれにおける前記基部と前記回動部との境界領域は、互いに異なる位置に設けられている、電線カバー。
【請求項２】
前記基部と前記回動部との前記境界領域は、前記ヒンジによる前記回動軸と交差する方向についてずれた位置に設けられている、請求項１に記載の電線カバー。
【請求項３】
前記複数の分割カバーが互いに結合された状態で、前記複数のカバーのそれぞれに設けられた前記ヒンジは、互いに異なる位置に設けられている、請求項１または請求項２に記載の電線カバー。
【請求項４】
前記複数のカバーのそれぞれに設けられた前記ヒンジは、前記ヒンジによる前記回動軸と交差する方向についてずれた位置に設けられている、請求項３に記載の電線カバー。
【請求項５】
前記基部及び前記回動部の一方には係止部が設けられており、他方には前記係止部と係止する被係止部が設けられている、請求項１から請求項４のいずれか一項に記載の電線カバー。
【請求項６】
前記複数の分割カバーのうち少なくとも一の分割カバーには、前記複数の分割カバーが互いに結合された状態で、前記電線に当接して、前記複数の分割カバーのうち他の分割カバーとの間で前記電線を挟持する挟持部が設けられている、請求項１から請求項５のいずれか一項に記載の電線カバー。
【請求項７】
請求項１から請求項６のいずれか一項に記載の電線カバーと、
前記電線カバーが取り付けられたコネクタハウジングと、を備えたコネクタ。
【発明の詳細な説明】
【技術分野】
【０００１】
本明細書に開示された技術は、電線カバーと、この電線カバーが装着されたコネクタに関する。
【背景技術】
【０００２】
コネクタハウジングから導出された電線を覆うコネクタ用の電線カバーとして、特開２００６−７３３２６号公報に記載のものが知られている。この電線カバーは、コネクタハウジングのうち、電線が導出される端部に組み付けられるカバー本体と、カバー本体にヒンジを介して回転自在に連結された一対のカバーと、を有している。
【０００３】
上記の技術においては、カバー本体と一対のカバーの一方との境界領域と、カバー本体と一対のカバーの他方との境界領域とは、対応する位置に設けられている。
【先行技術文献】
【特許文献】
【０００４】
【特許文献１】特開２００６−７３３２６号公報（図６）
【発明の概要】
【発明が解決しようとする課題】
【０００５】
上記の技術において、一対のカバーの一方に外力が加えられると、外力が加えられたカバーはヒンジによる回動軸を中心に回動しようとする。上記したように、カバー本体と一対のカバーの一方との境界領域と、カバー本体と一対のカバーの他方との境界領域とは、対応する位置に設けられている。このため、他方のカバーは、回動しようとする一方のカバーを支えることができず、双方のカバーが、それぞれのヒンジによる回動軸を中心に回動してしまう。
【０００６】
このように、一対のカバーの双方が、外力によって、各ヒンジによる回動軸を中心にして回動してしまうため、従来技術に係る電線カバーは変形しやすいものとなり、十分な強度を得ることができないという問題があった。
【０００７】
本明細書に開示された技術は上記のような事情に基づいて完成されたものであって、電線カバーの強度を向上させることを目的とする。
【課題を解決するための手段】
【０００８】
本明細書に開示された技術は、コネクタハウジングに取り付けられて前記コネクタハウジングから導出された電線を覆う電線カバーであって、互いに結合可能な複数の分割カバーを備え、前記複数の分割カバーのそれぞれは、前記コネクタハウジングに装着される基部と、前記基部に一体に形成された可撓性を有するヒンジと、前記ヒンジに連なると共に前記ヒンジによる回動軸を中心に回動する回動部と、を有し、前記複数の分割カバーが互いに結合された状態で、前記複数の分割カバーのそれぞれにおける前記基部と前記回動部との境界領域は、互いに異なる位置に設けられている。
【０００９】
また、本明細書に開示された技術に係るコネクタは、上記の電線カバーと、前記電線カバーが取り付けられたコネクタハウジングと、を備える。
【００１０】
上記の構成によれば、互いに連結された複数の分割カバーのうち１つの分割カバーの回動部に対して、当該回動部を回動させる方向の力が加えられた場合でも、他の分割カバーの基部又は回動部によって、上記の力を受けることができる。これにより、力を受けた回動部が、互いに連結され他の回動部と共に回動することが抑制される。この結果、電線カバーが全体として変形することを抑制することができるので、電線カバーの強度を向上させることができる。
【００１１】
なお、基部と回動部との境界領域とは、基部と回動部とが当接している場合には、基部と回動部とが当接している領域をいい、基部と回動部とが離間している場合には、基部と回動部とが対向している領域をいう。
【００１２】
本明細書に開示された技術の実施態様としては以下の態様が好ましい。
【００１３】
前記基部と前記回動部との前記境界領域は、前記ヒンジによる前記回動軸と交差する方向についてずれた位置に設けられていることが好ましい。
【００１４】
上記の構成によれば、互いに連結された複数の分割カバーのうち１つの分割カバーの回動部に対して、当該回動部を回動させる方向の力が加えられた場合において、当該回動部の回動軸と交差する位置にずれて配された他の基部又は回動部によって、力を受けた回動部が回動することを確実に抑制することができる。
【００１５】
前記複数の分割カバーが互いに結合された状態で、前記複数のカバーのそれぞれに設けられた前記ヒンジは、互いに異なる位置に設けられていることが好ましい。
【００１６】
上記の構成によれば、各分割カバーにおいて、ヒンジによる回動軸が異なっている。このため、１つの回動部に対して当該回動部を回動させる方向の力が加えられた場合でも、他の回動部の回動軸は、力を加えられた回動部の回動軸とは異なる位置に設けられているので、力を加えられた回動部と他の回動部とが同一の軌跡で回動することが抑制される。この結果、電線カバーが全体として変形することを抑制することができるので、電線カバーの強度を向上させることができる。
【００１７】
前記複数のカバーのそれぞれに設けられた前記ヒンジは、前記ヒンジによる前記回動軸と交差する方向についてずれた位置に設けられていることが好ましい。
【００１８】
上記の構成によれば、互いに連結された複数の分割カバーにおいて、回動部の回動軸は、それぞれの回動軸と交差する方向についてずれているので、１つの分割カバーの回動部に対して、当該回動部を回動させる方向の力が加えられた場合において、他の基部又は回動部によって、力を受けた回動部が回動することを確実に抑制することができる。この結果、電線カバーが全体として変形することを抑制することができるので、電線カバーの強度を向上させることができる。
【００１９】
前記基部及び前記回動部の一方には係止部が設けられており、他方には前記係止部と係止する被係止部が設けられていることが好ましい。
【００２０】
上記の構成によれば、係止部と被係止部とが係止することにより、基部と回動部とを強固に連結することができるので、電線カバーの強度を一層向上させることができる。
【００２１】
前記複数の分割カバーのうち少なくとも一の分割カバーには、前記複数の分割カバーが互いに結合された状態で、前記電線に当接して、前記複数の分割カバーのうち他の分割カバーとの間で前記電線を挟持する挟持部が設けられていることが好ましい。
【００２２】
上記の構成によれば、複数の分割カバーが結合された状態で、電線は、一の分割カバーに設けられた挟持部と、他の分割カバーとの間によって挟持される。これにより、電線に外力が加えられた場合でも、この外力を挟持部によって受けることができるので、電線カバーの強度を一層向上させることができる。
【発明の効果】
【００２３】
本明細書に開示された技術によれば、電線カバーの強度を向上させることができる。
【図面の簡単な説明】
【００２４】
【図１】実施形態１に係るコネクタを示す斜視図
【図２】コネクタハウジングを示す斜視図
【図３】コネクタハウジングを示す正面図
【図４】コネクタハウジングに第１カバーと第２カバーとを装着した状態を示す斜視図
【図５】第１回動部が回動した状態の第１カバーを示す側面図
【図６】第１回動部が回動した状態の第１カバーを示す底面図
【図７】第１係止部と第１被係止部とを係止させた状態の第１カバーを示す斜視図
【図８】第１係止部と第１被係止部とを係止させた状態の第１カバーを示す側面図
【図９】第１係止部と第１被係止部とを係止させた状態の第１カバーを示す底面図
【図１０】第２回動部が回動した状態の第２カバーを示す側面図
【図１１】第２回動部が回動した状態の第２カバーを示す平面図
【図１２】第２係止部と第２被係止部とを係止させた状態の第２カバーを示す斜視図
【図１３】第２係止部と第２被係止部とを係止させた状態の第２カバーを示す側面図
【図１４】第２係止部と第２被係止部とを係止させた状態の第２カバーを示す平面図
【図１５】第２係止部と第２被係止部とを係止させた状態の第２カバーを示す底面図
【図１６】電線が導出されたコネクタに第２カバーを装着した状態を示す側面図
【図１７】電線が導出されたコネクタに第２カバーと第１カバーとを装着した状態示す側面図
【図１８】電線の外周にテープを捲回した状態を示す側面図
【図１９】第２回動部を閉じた状態を示す側面図
【図２０】第１回動部を閉じた状態を示す側面図
【図２１】コネクタを示す底面図
【図２２】実施形態２に係るコネクタハウジングに第１カバーと第２カバーとを装着した状態を示す斜視図
【図２３】第１回動部が回動した状態の第１カバーを示す側面図
【図２４】第１回動部が回動した状態の第１カバーを示す底面図
【図２５】第１係止部と第１被係止部とを係止させた状態の第１カバーを示す斜視図
【図２６】第１係止部と第１被係止部とを係止させた状態の第１カバーを示す側面図
【図２７】第１係止部と第１被係止部とを係止させた状態の第１カバーを示す底面図
【図２８】第２回動部が回動した状態の第２カバーを示す側面図
【図２９】第２回動部が回動した状態の第２カバーを示す平面図
【図３０】第２係止部と第２被係止部とを係止させた状態の第２カバーを示す斜視図
【図３１】第２係止部と第２被係止部とを係止させた状態の第２カバーを示す側面図
【図３２】第２係止部と第２被係止部とを係止させた状態の第２カバーを示す平面図
【図３３】実施形態３に係るコネクタハウジングに第１カバーと第２カバーとを装着した状態を示す斜視図
【図３４】コネクタハウジングに第１カバーと第２カバーとを装着した状態を示す側面図
【図３５】コネクタを示す側面図
【図３６】実施形態４に係るコネクタハウジングに第１カバーと第２カバーとを装着した状態を示す斜視図
【図３７】コネクタハウジングに第１カバーと第２カバーとを装着した状態を示す側面図
【図３８】コネクタを示す側面図
【発明を実施するための形態】
【００２５】
＜実施形態１＞
本明細書に開示された技術の実施形態１を図１から図２１を参照しつつ説明する。図１に示すように、本実施形態に係るコネクタ１０は、電線１１が導出されるコネクタハウジング１２と、コネクタハウジング１２に装着されて電線１１を覆う電線カバー１３と、を備える。以下の説明においては、Ｚ方向を上方とし、Ｙ方向を前方とし、Ｘ方向を左方として説明する。また、複数の同一部材については、一部の部材に符号を付し、他の部材については符号を省略する場合がある。
【００２６】
・コネクタ１０
図２に示すように、コネクタハウジング１２は、絶縁性の合成樹脂製であって、上下に扁平な略直方体形状をなしている。コネクタハウジング１２には前後方向に延びる複数のキャビティ１４が、左右方向に間隔を空けて並ぶと共に、上下方向に間隔を空けて２段に形成されている。キャビティ１４は、前方及び後方に開口している。キャビティ１４内には、図示しない端子が収容される。端子は電線１１の端末に圧着、溶接、半田付け等の公知の手法により接続されている。本実施形態に係る電線１１は、図示しない金属導体の外周を絶縁被覆で被覆してなる。
【００２７】
コネクタハウジング１２の後端部からは、複数の電線１１が後方に導出されるようになっている。換言すると、電線１１は、後方に開口するキャビティ１４から後方に引き出されている。電線１１はテープ１５が捲回されることにより１つの束にまとめられている（図２０参照）。
【００２８】
図３に示すように、コネクタハウジング１２の後端部には、上下方向及び左右方向に突出するエンドリブ１６が設けられている。コネクタハウジング１２の上面においては、エンドリブ１６はコネクタハウジング１２の左右両端部に設けられている。コネクタハウジング１２の左右両側面においては、エンドリブ１６は上下方向の全域に設けられている。コネクタハウジング１２の下面においては、エンドリブ１６は左右方向の全域に設けられている。
【００２９】
コネクタハウジング１２の上面には、弾性変形可能なロックアーム１７が、コネクタハウジング１２の前端部から後方に延びて形成されている。ロックアーム１７の上面にはロック部１８が上方に突出して形成されている。ロックアーム１７の後端部には、左右方向に延びた板状をなす把持部１９が設けられており、作業者がこの把持部１９に指を掛けることにより、ロックアーム１７を弾性変形させることができるようになっている。
【００３０】
コネクタハウジング１２の上面には、ロックアーム１７の前方、及び左右両側方に、上方に突出する保護リブ２０が形成されている。この保護リブ２０のコネクタハウジング１２からの突出高さ寸法は、ロックアームのコネクタハウジング１２の上面からの突出高さ寸法よりも大きく設定されている。
【００３１】
・電線カバー１３
図４に示すように、電線カバー１３は、絶縁性の合成樹脂からなる。電線カバー１３は、第１カバー２１（分割カバーの一例）と、第１カバー２１に結合される第２カバー２２（分割カバーの一例）と、を備える。
【００３２】
・第１カバー２１
図５から図９に示すように、第１カバー２１は、コネクタハウジング１２の後端部に、上方から組み付けられる第１基部２３（基部の一例）と、第１基部２３の後端部に第１基部２３と一体に形成された可撓性を有する第１ヒンジ２４（ヒンジの一例）と、第１ヒンジ２４と一体に係止されて第１ヒンジ２４による回動軸Ｊを中心に回動可能な第１回動部２５（回動部の一例）と、を備える。
【００３３】
第１基部２３は、上壁と、上壁の左右両側縁から下方に延びる一対の側壁と、を有する。第１基部２３は、上方から見て、略長方形状をなしている。上壁の前端部には、コネクタハウジング１２のエンドリブ１６に外嵌される第１外嵌部２６が、上方及び前方に突出して形成されている。第１外嵌部２６の下面には、エンドリブ１６に外嵌される第１溝２７が上方に凹んで形成されている。第１溝２７の前後方向の幅寸法は、エンドリブ１６の前後方向の幅寸法と同じか、やや大きく設定されている。
【００３４】
第１基部２３の側壁の外面には、側方から見て門形状をなすと共に弾性変形可能な基部側ロック部２８が下方に突出して設けられている。この基部側ロック部２８は、後述する第２カバー２２に設けられた基部側ロック受け部２９と弾性的に係合するようになっている。
【００３５】
第１ヒンジ２４は左右方向に延びて形成されている。換言すると、第１ヒンジ２４は、コネクタハウジング１２からの電線１１の導出方向（後方）に交差（直交）する方向に沿って延びている。第１ヒンジ２４は可撓性を有する。第１ヒンジ２４の左右方向の幅寸法は、第１基部２３及び第１回動部２５の左右方向の幅寸法よりも小さく設定されている。第１ヒンジ２４の上下方向の肉厚は、第１基部２３の肉厚、及び第１回動部２５の肉厚よりも薄く形成されている。
【００３６】
第１ヒンジ２４の後方には、第１ヒンジ２４に連なる第１回動部２５が形成されている。第１回動部２５は、上方から見て略長方形をなしている。第１基部２３と、第１ヒンジ２４と、第１回動部２５とは、一体に形成されている。第１回動部２５は、第１ヒンジ２４が可撓性を有することに基づいて、コネクタハウジング１２からの電線１１の導出方向（後方）と交差する方向に延びる回動軸Ｊを中心として回動可能になっている（図６及び図９参照）。
【００３７】
第１回動部２５は、上壁と、上壁の左右両側方から下方に延びる一対の側壁と、上壁の後端部から下方に延びる後壁と、を有する。第１回動部２５の上壁には、前後方向に延びると共に、左右方向に間隔を空けて並ぶ、２つのタイバンド挿通孔３４が、上壁を貫通して形成されている。各タイバンド挿通孔３４は、前後方向に細長い長方形状をなしている。タイバンド挿通孔３４には、後述するタイバンド３５を挿通させることが可能になっている。
【００３８】
第１回動部２５の側壁の外面には、側方から見て門形状をなすと共に弾性変形可能な回動部側ロック部３６が下方に突出して設けられている。この回動部側ロック部３６は、後述する第２カバー２２に設けられた回動部側ロック受け部３７と弾性的に係合するようになっている。
【００３９】
第１回動部２５の後壁の下端縁には、上方に凹んだ第１凹部３８が形成されている。第１カバー２１と第２カバー２２とが結合した状態で、この第１凹部３８と、後述する第２カバー２２に形成された第２凹部３９との間に形成された空隙から、電線１１が電線カバー１３から導出されるようになっている。
【００４０】
第１基部２３の後端部には、左右両端部から後方に突出する第１係止部４１（係止部の一例）が形成されている。第１係止部４１の先端部は上下方向に延びる略円柱形状をなしている。第１回動部２５の前端部のうち、第１基部２３の第１係止部４１に対応する位置には、第１基部２３の先端部を受け入れる溝状をなす第１被係止部４２（被係止部の一例）が形成されている。第１被係止部４２の断面形状は、第１係止部４１の先端部の断面形状と同じか、又は、同じでなくとも僅かに大きいか、若しくは僅かに小さく形成されている。第１係止部４１の先端部が第１被係止部４２に嵌入することにより、第１基部２３と、第１回動部２５とが、第１ヒンジ２４による回動軸Ｊを中心に回動することが規制されるようになっている（図９参照）。
【００４１】
・第２カバー２２
図１０から図１５に示すように、第２カバー２２は、コネクタハウジング１２の後端部に、下方から組み付けられる第２基部４３（基部の一例）と、第２基部４３の後端部に第２基部４３と一体に形成された可撓性を有する第２ヒンジ４４（ヒンジの一例）と、第２ヒンジ４４と一体に係止されて第２ヒンジ４４による回動軸Ｋを中心に回動可能な第２回動部４５（回動部の一例）と、を備える。
【００４２】
第２基部４３は、下壁と、下壁の左右両側縁から上方に延びる一対の側壁と、を有する。第２基部４３は、下方から見て、略長方形状をなしている。第２基部４３の前後方向の長さ寸法は、第１基部２３の前後方向の長さ寸法よりも大きく設定されている。下壁の前端部には、コネクタハウジング１２のエンドリブ１６に外嵌される第２外嵌部４６が、下方、左右両側方、及び前方に突出して形成されている。第２外嵌部４６の下面、及び左右両内面には、エンドリブ１６に外嵌される第２溝４７が下方、及び左右両外方に凹んで形成されている。第２溝４７の前後方向の幅寸法は、エンドリブ１６の前後方向の幅寸法と同じか、やや大きく設定されている。
【００４３】
第２基部４３の下壁の下面には、後端部からやや前方の位置に、左右方向に延びると共に上方に突出したリブ状をなす、挟持部４８が設けられている。挟持部４８は、コネクタハウジング１２に第１カバー２１と第２カバー２２とが組み付けられた状態で、電線１１に下方から当接するようになっている。これにより、電線１１は、第１カバー２１の内壁と挟持部４８とによって挟持される。
【００４４】
第２基部４３の側壁の外面には、それぞれ、第１基部２３の基部側ロック部２８に対応する位置に、基部側ロック受け部２９が、左右方向の外方に突出して形成されている。
【００４５】
第２ヒンジ４４は左右方向に延びて形成されている。換言すると、第２ヒンジ４４は、コネクタハウジング１２からの電線１１の導出方向（後方）に交差（直交）する方向に沿って延びている。第２ヒンジ４４は可撓性を有する。第２ヒンジ４４の左右方向の幅寸法は、第２基部４３及び第２回動部４５の左右方向の幅寸法よりも小さく設定されている。第２ヒンジ４４の上下方向の肉厚は、第２基部４３の肉厚、及び第２回動部４５の肉厚よりも薄く設定されている。
【００４６】
第２ヒンジ４４の後方には、第２ヒンジ４４に連なる第２回動部４５が形成されている。第２回動部４５は、上方から見て略長方形をなしている。第２基部４３と、第２ヒンジ４４と、第２回動部４５とは、一体に形成されている。第２回動部４５は、第２ヒンジ４４が可撓性を有することに基づいて、コネクタハウジング１２からの電線１１の導出方向（後方）と交差する方向に延びる回動軸Ｋを中心として回動可能になっている（図１１、図１４、及び図１５参照）。
【００４７】
第２回動部４５は、下壁と、下壁の左右両側方から上方に延びる一対の側壁と、下壁の後端部から上方に延びる後壁と、を有する。
【００４８】
第２基部４３の側壁の外面には、それぞれ、第１基部２３の基部側ロック部２８に対応する位置に、基部側ロック受け部２９が、左右方向の外方に突出して形成されている。
【００４９】
第２回動部４５の後壁の上端縁には、下方に凹んだ第２凹部３９が形成されている。第１カバー２１と第２カバー２２とが結合した状態で、第１カバー２１の第１凹部３８と、第２カバー２２の第２凹部３９との間隙から、電線１１が導出されるようになっている。
【００５０】
第２基部４３の後端部には、左右両端部から後方に突出する第２係止部５０（係止部の一例）が形成されている。第２係止部５０の先端部は上下方向に延びる略円柱形状をなしている。第２回動部４５の前端部のうち、第２基部４３の第２係止部５０に対応する位置には、第２基部４３の先端部を受け入れる溝状をなす第２被係止部５１（被係止部の一例）が形成されている。第２被係止部５１の断面形状は、第２係止部５０の先端部の断面形状と同じか、又は、同じでなくとも僅かに大きいか、若しくは僅かに小さく形成されている。第２係止部５０の先端部が第２被係止部５１に嵌入することにより、第２基部４３と、第２回動部４５とが、第２ヒンジ４４による回動軸Ｋを中心に回動することが規制されるようになっている（図１４参照）。
【００５１】
第２回動部４５の下壁には、前後方向に延びると共に、左右方向に間隔を空けて並ぶ、２つのタイバンド挿通孔５２が、下壁を貫通して形成されている。各タイバンド挿通孔５２は、前後方向に細長い長方形状をなしている。タイバンド挿通孔５２には、後述するタイバンド３５を挿通させることが可能になっている。
【００５２】
図１９及び図２１に示すように、電線１１は、合成樹脂製であって細長い帯状をなす公知のタイバンド３５によって締結されている。タイバンド３５は、第２可動部の下壁に形成されたタイバンド挿通孔５２に挿通された状態で、電線１１の外周に捲回されている。これにより、電線１１は、タイバンド３５によって第２回動部４５の下壁に固定されている。
【００５３】
図２０に示すように、コネクタハウジング１２に第１カバー２１及び第２カバー２２が組み付けられ、且つ、第１カバー２１と第２カバー２２とが相互に結合した状態において、第１基部２３と第１回動部２５との第１境界領域５３（境界領域の一例）と、第２基部４３と第２回動部４５との第２境界領域（５４境界領域の一例）とは、異なった位置に設けられている。詳細には、第１境界領域５３と、第２境界領域５４とは、ヒンジ２４による回動軸Ｊ、及びヒンジ４４による回動軸Ｋと交差する方向（図２０における後方）についてずれた位置に設けられている。具体的には、第２境界領域５４は、第１境界領域５３よりも後方に位置している。
【００５４】
第１基部２３と第１回動部２５との第１境界領域５３とは、第１カバー２１と第２カバー２２とが相互に組み付けられた状態において、第１基部２３と第１回動部２５とが当接している場合には、第１基部２３と第１回動部２５とが当接している領域をいい、第１基部２３と第１回動部２５とが離間している場合には、第１基部２３と第１回動部２５とが対向している領域をいう。
【００５５】
同様に、第２基部４３と第２回動部４５との第２境界領域５４とは、第１カバー２１と第２カバー２２とが相互に組み付けられた状態において、第２基部４３と第２回動部４５とが当接している場合には、第２基部４３と第２回動部４５とが当接している領域をいい、第２基部４３と第２回動部４５とが離間している場合には、第２基部４３と第２回動部４５とが対向している領域をいう。
【００５６】
第１境界領域５３の下方の位置には、第２カバー２２の第２基部４３が位置している。第２境界領域５４の上方には、第１カバー２１の第１回動部２５が位置している。
【００５７】
第１ヒンジ２４と、第２ヒンジ４４とは、異なった位置に設けられている。詳細には、第１ヒンジ２４と、第２ヒンジ４４とは、ヒンジ２４による回動軸Ｊ、及びヒンジ４４による回動軸Ｋと交差する方向（図２０における後方）についてずれた位置に設けられている。具体的には、第２ヒンジは、第１ヒンジ２４よりも後方に位置している。
【００５８】
・コネクタ１０の製造工程
続いて、コネクタ１０の製造工程の一例について説明する。コネクタ１０の製造工程は、以下の説明に限定されない。
【００５９】
電線１１の端末に接続された端子を、コネクタハウジング１２の後方からキャビティ１４に挿入する。端子がコネクタハウジング１２内に収容された状態では、電線１１がコネクタハウジング１２の後端部から後方に導出された状態になる。
【００６０】
図１６に示すように、コネクタハウジング１２の後端部に、第２カバー２２を下方から組み付ける。コネクタハウジング１２のエンドリブ１６に、第２カバー２２の第２外嵌部４６に設けられた第２溝４７を下方から接近させ、この第２溝４７内にエンドリブ１６の下部を嵌める。
【００６１】
図１７に示すように、コネクタハウジング１２の後端部に、第１カバー２１を上方から組み付ける。コネクタハウジング１２のエンドリブ１６に、第１カバー２１の第１外嵌部２６に設けられた第１溝２７を上方から接近させ、この第１溝２７内にエンドリブ１６の上部を嵌める。
【００６２】
コネクタハウジング１２の後端部に、第１カバー２１の第１基部２３、及び第２カバー２２の第２基部４３を装着することにより、第１カバー２１の基部側ロック部２８が第２カバー２２の基部側ロック受け部２９と弾性的に係止する。これにより、第１基部２３と第２基部４３とは、上下方向に離間することが規制された状態で、コネクタハウジング１２の後端部に装着される。
【００６３】
コネクタハウジング１２の後端部に第１基部２３と第２基部４３とが装着された状態で、コネクタハウジング１２は、第１基部２３の第１外嵌部２６と、第２基部４３の第２外嵌部４６とによって挟持される。コネクタハウジング１２のエンドリブ１６が、第１基部２３の第１溝２７と、第２基部４３の第２溝４７とに嵌ることにより、第１基部２３及び第２基部４３は、コネクタハウジング１２に対して前後方向に抜け止め状態に保持される。
【００６４】
第１回動部２５を、第１ヒンジ２４による回動軸Ｊを中心として、図１７における反時計回り方向に回動させる。また、第２回動部４５を、第２ヒンジ４４による回動軸Ｋを中心として、図１７における時計回り方向に回動させる。これにより、電線１１を束ねる作業を容易に行うための作業スペースを形成する。
【００６５】
図１８に示すように、コネクタハウジング１２から導出された電線１１の外周にテープ１５を捲回することにより、電線１１を束ねる。
【００６６】
第２ヒンジ４４による回動軸Ｋを中心として、図１８における反時計回り方向に第２回動部４５を回動させ、第２基部４３の第２係止部５０と、第２回動部４５の第２被係止部５１とを係止させる。
【００６７】
図１９に示すように、タイバンド３５を、第２回動部４５のタイバンド挿通孔５２に挿通させながら、テープ１５により束ねられた電線１１の外周に捲回する。これにより、電線１１を第２回動部４５に固定する。
【００６８】
第１ヒンジ２４による回動軸Ｊを中心として、図１９における時計回り方向に第１回動部２５を回動させる。すると、第１回動部２５の回動部側ロック部３６と、第２回動部４５の回動部側ロック受け部３７とが係合することにより、第１回動部２５と第２回動部４５とが結合される。また、第１基部２３の第１係止部４１と第１回動部２５の第１被係止部４２とが係止する（図２０参照）。
【００６９】
第１回動部２５と第２回動部４５とが組み付けられた状態で、第１回動部２５の第１凹部３８と、第２回動部４５の第２凹部３９との隙間から、電線１１が後方に導出される。これにより、コネクタ１０が完成する。
【００７０】
・本実施形態の作用効果
続いて、本実施形態の作用効果について説明する。本実施形態に係る電線カバー１３は、コネクタハウジング１２に取り付けられてコネクタハウジング１２から導出された電線１１を覆う電線カバー１３であって、互いに結合可能な、第１カバー２１及び第２カバー２２を備え、第１カバー２１及び第２カバー２２のそれぞれは、コネクタハウジング１２に装着される第１基部２３及び第２基部４３と、各基部２３，４３に一体に形成された可撓性を有する第１ヒンジ２４及び第２ヒンジ４４と、各ヒンジ２４，４４に連なると共に各ヒンジ２４，４４による回動軸Ｊ，Ｋを中心に回動する第１回動部２５及び第２回動部４５と、を有し、第１カバー２１と第２カバー２２とが互いに結合された状態で、第１カバー２１における第１基部２３と第１回動部２５との第１境界領域５３と、第２カバー２２における第２基部４３と第２回動部４５との第２境界領域５４とは、互いに異なる位置に設けられている。
【００７１】
また、本実施形態に係るコネクタ１０は、上記の電線カバー１３と、電線カバー１３が取り付けられたコネクタハウジング１２と、を備える。
【００７２】
上記の構成によれば、互いに連結された第１カバー２１及び第２カバー２２のうちの一方の回動部に対して、当該回動部を回動させる方向の力が加えられた場合でも、他方の基部又は回動部によって、上記の力を受けることができる。これにより、力を受けた回動部が、互いに連結され他の回動部と共に回動することが抑制される。この結果、電線カバー１３が全体として変形することを抑制することができるので、電線カバー１３の強度を向上させることができる。
【００７３】
例えば、電線１１に下向きの外力が加えられた場合、電線カバー１３にも電線１１を介して下向きの力が加わる。すると、第１カバー２１の第１ヒンジ２４による回動軸Ｊを中心として、第１回動部２５が図２０における矢線Ｐで示す方向に回動しようとする。
【００７４】
上記したように、第１境界領域５３と、第２境界領域５４とは、異なる位置に設けられている。これにより、第１境界領域５３の下方の位置には、第２カバー２２の第２基部４３が位置しており、第２境界領域５４の上方には、第１カバー２１の第１回動部２５が位置している。これにより、第１回動部２５が図２０における矢線Ｐで示す方向に回動しようとしても、第２カバー２２の第２基部４３により支持されるので、第１回動部２５が回動することを抑制することができる。これにより、電線カバー１３が過度に変形することを抑制できるので、電線カバー１３の強度を向上させることができる。
【００７５】
一方、電線１１に上向きの外力が加えられた場合にも同様に、第２回動部４５が第２ヒンジ４４による回動軸Ｋを中心にして図２０におけるや矢線Ｑで示す方向に回動しようとしても、第１カバー２１の第１回動部２５により支持されるので、第２回動部４５が回動することを抑制することができる。これにより、電線カバー１３が過度に変形することを抑制できるので、電線カバー１３の強度を向上させることができる。
【００７６】
本実施形態によれば、第１境界領域５３と、第２境界領域５４とは、ヒンジ２４による回動軸Ｊ、及びヒンジ４４による回動軸Ｋと交差する方向（図２０における後方）についてずれた位置に設けられている。
【００７７】
上記の構成によれば、第１カバー２１と第２カバー２２とが互いに連結された状態において、第１カバー２１の第１境界領域５３と、第２カバー２２の第２境界領域５４とは、確実に異なる位置に配される。これにより、一方のカバーの回動部に対して、当該回動部を回動させる方向の力が加えられた場合において、当該回動部の回動軸と交差する位置にずれて配された他の基部又は回動部によって、力を受けた回動部が回動することを確実に抑制することができる。具体的には、第１回動部２５は第２カバー２２の第２基部４３により支持され、第２回動部４５は第１カバー２１の第１回動部２５により支持される。
【００７８】
本実施形態によれば、第１カバー２１と第２カバー２２とが互いに連結された状態で、第１カバー２１に設けられた第１ヒンジ２４と、第２カバー２２に設けられた第２ヒンジ４４とは、互いに異なる位置に設けられている。
【００７９】
上記の構成によれば、第１カバー２１の第１ヒンジ２４による回動軸Ｊと、第２カバー２２の第２ヒンジ４４による回動軸Ｋとが異なる位置に配されている。このため、１つの回動部に対して当該回動部を回動させる方向の力が加えられた場合でも、力を加えられた回動部と他の回動部とが同一の軌跡で回動することが抑制される。この結果、電線カバー１３が全体として変形することを抑制することができるので、電線カバー１３の強度を向上させることができる。
【００８０】
本実施形態によれば、第１ヒンジ２４と、第２ヒンジ４４とは、ヒンジ２４による回動軸Ｊ、及びヒンジ４４による回動軸Ｋと交差する方向についてずれた位置に設けられている。
【００８１】
上記の構成によれば、第１カバー２１と第２カバー２２とが互いに連結された状態において、第１回動部２５の回動軸Ｊと、第２回動部４５の回動軸Ｋとは、前後方向についてずれている。これにより、第１回動部２５又は第２回動部４５に対して回動させる方向の力が加えられた場合において、力が加えられなかった基部又は回動部によって、力を受けた回動部が回動することを確実に抑制することができる。具体的には、第１回動部２５は第２カバー２２の第２基部４３により支持され、第２回動部４５は第１カバー２１の第１回動部２５により支持されるこの結果、電線カバー１３が全体として変形することを抑制することができるので、電線カバー１３の強度を向上させることができる。
【００８２】
本実施形態によれば、第１基部２３には第１係止部４１が設けられており、第１回動部２５には第１係止部４１と係止する第１被係止部４２が設けられている。また、第２基部４３には第２係止部５０が設けられており、第２回動部４５には第２係止部５０と係止する第２被係止部５１が設けられている。
【００８３】
上記の構成によれば、第１係止部４１と第１被係止部４２とが係止することにより、第１基部２３と第１回動部２５とを強固に連結することができるので、電線カバー１３の強度を一層向上させることができる。
【００８４】
同様に、第２係止部５０と第２被係止部５１とが係止することにより、第２基部４３と第２回動部４５とを強固に連結することができるので、電線カバー１３の強度を一層向上させることができる。
【００８５】
また、仮に第１ヒンジ２４が破損した場合でも、第１基部２３と第１回動部２５とは、第１係止部４１と第１被係止部４２との係止構造により一体に組み付けられた状態を維持することができるので、電線カバー１３によって電線１１を保護するという機能を維持することができる。
【００８６】
同様に、仮に第２ヒンジ４４が破損した場合でも、第２基部４３と第２回動部４５とは、第２係止部５０と第２被係止部５１との係止構造により一体に組み付けられた状態を維持することができるので、電線カバー１３によって電線１１を保護するという機能を維持することができる。
【００８７】
本実施形態によれば、第２カバー２２には、第１カバー２１と第２カバー２２とが互いに結合された状態で電線１１に下方から当接する挟持部４８が設けられており、電線１１は、第１カバー２１と挟持部４８とによって挟持される。
【００８８】
上記の構成によれば、第１カバー２１と第２カバー２２とが結合された状態で、電線１１は、第１カバー２１と挟持部４８とによって挟持される。これにより、電線１１に外力が加えられた場合でも、この外力を挟持部４８によって受けることができるので、電線カバー１３の強度を一層向上させることができる。
【００８９】
＜実施形態２＞
次に、本明細書に開示された技術の実施形態２を、図２２から図３２を参照しつつ説明する。図２２に示すように、本実施形態に係るコネクタ８０は、コネクタハウジング１２と、電線カバー６０と、を備える。電線カバー６０は、第１カバー６１と第２カバー６２とが結合されてなる。
【００９０】
・第１カバー６１
図２３から図２７に示すように、第１カバー６１の第１回動部６３は、上方から見て略台形状をなしている。第１回動部６３の上壁の左辺は、前方から後方に向かうに従って右方に傾斜している。上壁の左辺に形成された左側壁６４も、前方から後方に向かうに従って右方に傾斜している。これにより、コネクタハウジング１２の後端部から後方に導出された電線１１は、左側壁６４の内面と当接することにより、右方へと屈曲されるようになっている。
【００９１】
第１回動部６３には、第１基部２３の右端部よりも右方に延びる第１延出部６５が設けられている。第１回動部６３の後端部には、左右方向に間隔を空けて、２つの基部側ロック部６６が設けられている。第１回動部６３の後端部に設けられた２つの基部側ロック部６６のうちの１つは、第１延出部６５の後端部に設けられている。
【００９２】
第１延出部６５の前端部には、基部側ロック受け部６７が前方に突出して設けられている。
【００９３】
第１延出部６５の右端部には下方に延びる右側壁が形成されている。右側壁の下端縁には、上方に凹んだ第１凹部６８が形成されている。この第１凹部６８は、後述する第２カバー６２に形成された第２凹部６９と共に、電線１１が導出される導出口（図示せず）を形成するようになっている。
【００９４】
・第２カバー６２
図２８から図３２に示すように、第２カバー６２の第２回動部７０は、下方から見て略台形状をなしている。第２回動部７０の下壁の左辺は、前方から後方に向かうに従って右方に傾斜している。下壁の左辺に形成された左側壁７１も、前方から後方に向かうに従って右方に傾斜している。これにより、コネクタハウジング１２の後端部から後方に導出された電線１１は、左側壁７１の内面と当接することにより、右方へと屈曲されるようになっている。
【００９５】
第２回動部７０には、第２基部４３の右端部よりも右方に延びる第２延出部７２が設けられている。第２回動部７０の後端部には、左右方向に間隔を空けて、２つの基部側ロック受け部６７が後方に突出して設けられている。第２回動部７０の後端部に設けられた２つの基部側ロック受け部６７のうちの１つは、第２延出部７２の後端部に設けられている。
【００９６】
第２延出部７２の前端部には、前方から見て門形状をなす基部側ロック部６６が設けられている。
【００９７】
第２延出部７２の右端部には上方に延びる右側壁が形成されている。右側壁の上端縁には、下方に凹んだ第２凹部６９が形成されている。
【００９８】
第２延出部７２の下壁には、左右方向に延びる２つのタイバンド挿通孔７３が、前後方向に間隔を空けて並んで設けられている。タイバンド挿通孔７３は、第２延出部７２の下壁を貫通して形成されている。
【００９９】
第２回動部７０の下壁には、延出部よりも左方の位置に、上方に突出するリブ状をなす挟持部７４が、前後方向に延びて形成されている。コネクタハウジング１２の後端部に第１カバー６１と第２カバー６２とが装着された状態において、電線１１は、第２カバー６２の内壁と、挟持部７４とによって挟持される。
【０１００】
上記以外の構成については、実施形態１と略同様なので、同一部材については同一符号を付し、重複する説明を省略する。
【０１０１】
本実施形態によれば、コネクタハウジング１２の後端部から後方に導出された電線１１を、コネクタハウジング１２からの導出方向（後方）とは異なる方向（右方）へ屈曲させることができる。
【０１０２】
＜実施形態３＞
次に、本明細書に開示された技術の実施形態３を、図３３から図３５を参照しつつ説明する。本実施形態に係るコネクタ８５は、コネクタハウジング１２と、電線カバー８６と、を備える。電線カバー８６は、第１カバー８７と第２カバー８８とが結合されてなる。
【０１０３】
・第１カバー８７
本実施形態に係る第１カバー８７においては、第１基部２３と、第１回動部２５とは、一対の第１ヒンジ８９によって、回動可能に連結されている。第１ヒンジ８９は、第１基部２３及び第１回動部２５と一体に形成されている。
【０１０４】
図３３に示すように、一対の第１ヒンジ８９の前端部は、第１基部２３の後端部であって、且つ左右両端部寄りの位置から延出されている。また、一対の第１ヒンジ８９の後端部は、第１回動部２５の前端部からやや後方の位置から延出されている。一対の第１ヒンジ８９は前後方向に細長く延びた帯状に形成されている。一対の第１ヒンジ８９の前後方向の長さ寸法は、同じに設定されている。
【０１０５】
・第２カバー８８
本実施形態に係る第２カバー８８においては、第２基部４３と、第２回動部４５とは、一対の第２ヒンジ９０によって、回動可能に連結されている。第２ヒンジ９０は、第２基部４３及び第２回動部４５と一体に形成されている。
【０１０６】
図３４に示すように、一対の第２ヒンジ９０の前端部は、第２基部４３の後端部からやや前方の位置であって、且つ左右両端部寄りの位置から延出されている。また、一対の第２ヒンジ９０の後端部は、第２回動部４５の前端部寄りの位置から延出されている。一対の第２ヒンジ９０は前後方向に細長く延びた帯状に形成されている。一対の第２ヒンジ９０の前後方向の長さ寸法は、同じに設定されている。
【０１０７】
図３５に示すように、コネクタハウジング１２に第１カバー８７及び第２カバー８８を組み付け、更に、第１回動部２５と第２回動部４５とを互いに結合させた状態で、第１ヒンジ８９と、第２ヒンジ９０とは、前後方向、及び、左右方向について同じ位置に配されている。また、第１ヒンジ８９と第２ヒンジ９０の前後方向の長さ寸法は同じに設定されている。
【０１０８】
上記以外の構成については、実施形態１と略同様なので、同一部材については同一符号を付し、重複する説明を省略する。
【０１０９】
本実施形態によれば、第１ヒンジ８９と第２ヒンジ９０とが、前後方向及び左右方向について同じ位置に設けられた場合でも、第１境界領域５３と第２境界領域５４とが、異なる位置（前後方向についてずれた位置）に設けられている
これにより、第１回動部２５は第２基部４３により支持され、第２回動部４５は第１回動部２５により支持される。この結果、電線カバー８６が全体として変形することを抑制することができるので、電線カバー８６の強度を向上させることができる。
【０１１０】
＜実施形態４＞
次に、本明細書に開示された技術の実施形態４を、図３６から図３８を参照しつつ説明する。本実施形態に係るコネクタ９５は、コネクタハウジング１２と、電線カバー９６と、を備える。電線カバー９６は、第１カバー９７と第２カバー９８とが結合されてなる。
【０１１１】
・第１カバー９７
本実施形態に係る第１カバー９７においては、第１基部２３と、第１回動部６３とは、一対の第１ヒンジ９９によって、回動可能に連結されている。第１ヒンジ９９は、第１基部２３及び第１回動部６３と一体に形成されている。
【０１１２】
図３６に示すように、一対の第１ヒンジ９９の前端部は、第１基部２３の後端部であって、且つ左右両端部寄りの位置から延出されている。また、一対の第１ヒンジ９９の後端部は、第１回動部６３の前端部からやや後方の位置から延出されている。一対の第１ヒンジ９９は前後方向に細長く延びた帯状に形成されている。一対の第１ヒンジ９９の前後方向の長さ寸法は、同じに設定されている。
【０１１３】
・第２カバー９８
本実施形態に係る第２カバー９８においては、第２基部４３と、第２回動部７０とは、一対の第２ヒンジ１００によって、回動可能に連結されている。第２ヒンジ１００は、第２基部４３及び第２回動部７０と一体に形成されている。
【０１１４】
図３７に示すように、一対の第２ヒンジ１００の前端部は、第２基部４３の後端部からやや前方の位置であって、且つ左右両端部寄りの位置から延出されている。また、一対の第２ヒンジ１０００の後端部は、第２回動部７０の前端部寄りの位置から延出されている。一対の第２ヒンジ１００は前後方向に細長く延びた帯状に形成されている。一対の第２ヒンジ１００の前後方向の長さ寸法は、同じに設定されている。
【０１１５】
図３８に示すように、コネクタハウジング１２に第１カバー９７及び第２カバー９８を組み付け、更に、第１回動部６３と第２回動部７０とを互いに結合させた状態で、第１ヒンジ９９と、第２ヒンジ１０００とは、前後方向、及び、左右方向について同じ位置に配されている。また、第１ヒンジ９９と第２ヒンジ１００の前後方向の長さ寸法は同じに設定されている。
【０１１６】
上記以外の構成については、実施形態２と略同様なので、同一部材については同一符号を付し、重複する説明を省略する。
【０１１７】
本実施形態によれば、第１ヒンジ９９と第２ヒンジ１００とが、前後方向及び左右方向について同じ位置に設けられた場合でも、第１境界領域５３と第２境界領域５４とが、異なる位置（前後方向についてずれた位置）に設けられている
これにより、第１回動部６３は第２基部４３により支持され、第２回動部７０は第１回動部６３により支持される。この結果、電線カバー９６が全体として変形することを抑制することができるので、電線カバー９６の強度を向上させることができる。
【０１１８】
＜他の実施形態＞
本明細書に開示された技術は上記記述及び図面によって説明した実施形態に限定されるものではなく、例えば次のような実施形態も本明細書に開示された技術の技術的範囲に含まれる。
【０１１９】
（１）上記実施形態においては、電線カバーは第１カバーと第２カバーとが結合される構成としたが、これに限られず、電線カバーは、３つ以上の分割カバーが結合される構成としてもよい。
【０１２０】
（２）上記実施形態においては、係止部が基部に設けられ、被係止部が回動部に設けられる構成としたが、これに限られず、被係止部が基部に設けられ、係止部が回動部に設けられてもよい。また、係止部及び被係止部は省略してもよい。
【０１２１】
（３）上記実施形態においては、第２カバーに挟持部が設けられる構成としたが、これに限られず、挟持部は、第１カバーに設ける構成としてもよい。また、第１カバーと第２カバーの双方に挟持部を設けてもよい。また、挟持部は省略してもよい。
【０１２２】
（４）実施形態１及び２においては、第１ヒンジ２４と第２ヒンジ４４とは、電線１１がコネクタハウジング１２から導出される方向（前後方向）についてずれた位置に設けられていたが、これに限られず、第１ヒンジ２４と第２ヒンジ４４とは、電線カバー１３から電線１１が導出される方向についてずれた位置に設けられる構成としてもよい。例えば、実施形態２のように、コネクタハウジング１２から後方に導出された電線１１が電線カバー６０内で屈曲されて、電線カバー６０から右方に導出される場合において、前後方向に延びる第１ヒンジ及び第２ヒンジが、左右方向にずれて形成される構成としてもよい。
また、第１ヒンジの延びる方向と、第２ヒンジの延びる方向が異なっていてもよい。
【０１２３】
（５）実施形態１においては、第１カバー２１及び第２カバー２２の双方にタイバンド挿通孔３４，５１が設けられる構成としたが、タイバンド挿通孔は省略してもよい。
【０１２４】
（６）実施形態１においては、第２カバー２２のタイバンド挿通孔５２にタイバンド３５が挿通される構成としたが、これに限られず、第１回動部２５に形成されたタイバンド挿通孔３４にタイバンド３５を挿通する構成としてもよい。
【０１２５】
（７）上記実施形態においては、キャビティ１４は上下２段に形成される構成としたが、これに限られず、キャビティ１４は１段でもよく、また、上下に３段以上形成されてもよい。
【０１２６】
（８）実施形態１及び２においては、ヒンジの左右方向の幅寸法は、基部、及び回動部の左右方向の幅寸法よりも狭い構成としたが、これに限られず、ヒンジの幅寸法は、基部、又は回動部の幅寸法と同じであってもよい。
また、実施形態１及び２においては、ヒンジの肉厚は、基部の肉厚、及び回動部の肉厚よりも薄い構成としたが、これに限られず、ヒンジの肉厚は、基部の肉厚、及び回動部に肉厚と同じに設定されていてもよい。
【０１２７】
（９）上記実施形態においては、基部と回動部とは１個又は２個のヒンジにより回動可能に連結される構成としたが、これに限られず、ヒンジは３個以上であってもよい。
【符号の説明】
【０１２８】
１０，８０，８５，９５：コネクタ
１１：電線
１２：コネクタハウジング
１３，６０，８６，９６：電線カバー
２１，６１，８７，９７：第１カバー
２２，６２，８８，９８：第２カバー
２３：第１基部
２４，８９，９９：第１ヒンジ
２５，６３：第１回動部
４１：第１係止部
４２：第１被係止部
４３：第２基部
４４，９０，１００：第２ヒンジ
４５，７０：第２回動部
４８、７４：挟持部
５０：第２係止部
５１：第２被係止部
５３：第１境界領域
５４：第２境界領域
【図１】
2019125528.tif 000003
【図２】
2019125528.tif 000004
【図３】
2019125528.tif 000005
【図４】
2019125528.tif 000006
【図５】
2019125528.tif 000007
【図６】
2019125528.tif 000008
【図７】
2019125528.tif 000009
【図８】
2019125528.tif 000010
【図９】
2019125528.tif 000011
【図１０】
2019125528.tif 000012
【図１１】
2019125528.tif 000013
【図１２】
2019125528.tif 000014
【図１３】
2019125528.tif 000015
【図１４】
2019125528.tif 000016
【図１５】
2019125528.tif 000017
【図１６】
2019125528.tif 000018
【図１７】
2019125528.tif 000019
【図１８】
2019125528.tif 000020
【図１９】
2019125528.tif 000021
【図２０】
2019125528.tif 000022
【図２１】
2019125528.tif 000023
【図２２】
2019125528.tif 000024
【図２３】
2019125528.tif 000025
【図２４】
2019125528.tif 000026
【図２５】
2019125528.tif 000027
【図２６】
2019125528.tif 000028
【図２７】
2019125528.tif 000029
【図２８】
2019125528.tif 000030
【図２９】
2019125528.tif 000031
【図３０】
2019125528.tif 000032
【図３１】
2019125528.tif 000033
【図３２】
2019125528.tif 000034
【図３３】
2019125528.tif 000035
【図３４】
2019125528.tif 000036
【図３５】
2019125528.tif 000037
【図３６】
2019125528.tif 000038
【図３７】
2019125528.tif 000039
【図３８】
2019125528.tif 000040